(57)【要約】【課題】本発明は、携帯電話機等の携帯端末装置、およびその携帯端末装置等に搭載されて画像を表示する表示モジュールに関し、軽量化および部品点数削減を図る。【解決手段】シャーシ２２０が、表示基板２１０の角部を除く部分を支持する支持部２２１ａ、およびその支持部２２１ａから連続して広がり表示基板２１０を支持する側の表面が支持部２２１ａよりも下がって形成された窪み部２２１ｂを有する支持基板２２１と、支持基板２２１を回路基板に対し所定高さに支持した状態に回路基板上に載置される枠板２２２とを有する。【選択図】        図３
2006303687.tif 000002
【特許請求の範囲】
【請求項１】
画像を表示する表示素子が搭載された表示基板と、
前記表示基板を搭載して回路基板上に載置されるシャーシとを備え、
前記シャーシが、
前記表示基板の角部を除く部分を支持する支持部、および該支持部から連続して広がり該表示基板を支持する側の表面が該支持部よりも下がって形成された窪み部を有する支持基板と、
前記支持基板を回路基板に対し所定高さに支持した状態に該回路基板上に載置される枠板とを有することを特徴とする表示モジュール。
【請求項２】
前記支持基板の、回路基板上に載置されたときに該回路基板に面する裏面に導体膜が形成されてなることを特徴とする請求項１記載の表示モジュール。
【請求項３】
前記支持基板表面の、前記支持部と前記窪み部との繋ぎの部分が、面取りされた形状を有することを特徴とする請求項１記載の表示モジュール。
【請求項４】
前記支持基板が、前記支持部裏面から突出した、該支持部が押圧されたときに回路基板上の搭載部品に当接して該支持部の過剰な変形を防止するリブを有することを特徴とする請求項１記載の表示モジュール。
【請求項５】
無線通信機能を有する携帯端末装置において、
画像を表示する表示素子が搭載された表示基板と、前記表示基板を搭載して回路基板上に載置されるシャーシとを有する表示モジュールを備え、
前記シャーシが、
前記表示基板の角部を除く部分を支持する支持部、および該支持部から連続して広がり該表示基板を支持する側の表面が該支持部よりも下がって形成された窪み部を有する支持基板と、
前記支持基板を回路基板に対し所定高さに支持した状態に該回路基板上に載置される枠板とを有することを特徴とする携帯端末装置。
【発明の詳細な説明】
【技術分野】
【０００１】
本発明は、携帯電話機等の携帯端末装置、およびその携帯端末装置等に搭載されて画像を表示する表示モジュールに関する。
【背景技術】
【０００２】
近年の携帯端末装置には画像表示機能が付加されており、液晶、有機ＥＬ（Ｅｌｅｃｔｒｏ  Ｌｕｍｉｎｅｓｃｅｎｃｅ）などが使用されている。そして、これらの表示デバイスには一般的にガラスが使用されている。一方、携帯端末装置は人が持ち歩く装置であるため、その使用中にはその携帯端末装置への強い圧迫力や衝撃力等の外力が頻繁に加わる。しかし、表示デバイスに使用されているガラスは外力に弱く、ガラス割れにより表示の不具合が生じるおそれがある。
【０００３】
通常、携帯端末装置では、表示デバイスはシャーシ構造により補強に固定されている。表示デバイスのガラス割れは、構造上、表示面方向からの外力が原因であることが多い。外力によりシャーシが撓み、ガラス端部がシャーシに干渉することで割れる。特許文献１には、この問題の解決を目的とした、外力が加えられても割れにくい筐体構造が開示されている。
【０００４】
また、携帯端末装置では、電気部品に高周波で動作する集積回路部品を実装しており、その集積回路部品から発生する放射ノイズ等の影響を回避する必要がある。特許文献２には、放射ノイズ等の影響を回避するための電磁波シールド構造が開示されている。
【０００５】
図６は、外力が加えられたときのガラス割れの防止と放射ノイズ等の影響の回避が図られた、従来の表示モジュールの構造を示した分解斜視図である。
【０００６】
図６に示す表示モジュール１００は、画像を表示するＥＬ表示素子が搭載された、ガラス材からなる表示基板１１０と、ＡＢＳ等の樹脂材料からなるシャーシ１２０と、金属材料からなる板金部品１３０とから構成されている。
【０００７】
シャーシ１２０は、表示基板１１０を支持する支持基板１２１と、その支持基板１２１を取り巻いてその支持基板１２１を支持する枠板１２２とから形成されている。また、このシャーシ１２０には、支持基板１２１上に表示基板１１０が載置されたときのその表示基板１１０の４つの角部に対応する部分には、支持基板１２１と枠板１２２との間に上下に貫通する開口１２３が形成されている。
【０００８】
このシャーシ１２０は、表示基板１１０に外力が加わって表示基板１１０が押されると支持基板１２１が撓んでその外力を吸収する構造となっており、仮に４隅の開口１２３を塞ぐように支持基板１２１が広がっていた場合、その４隅の部分で支持基板１２１と表示基板１１０が干渉し表示基板１１０にガラス割れが発生するおそれがある。ここでは、それを回避するために４隅に開口１２３が設けられており、この開口１２３が設けられていることにより、外力が加わった場合であってもガラス割れの発生が防止される。
【０００９】
また、このシャーシ１２０の枠板１２２の一部には切欠き部１２４が形成されている。この切欠き部１２４は、表示基板１１０から延びるフレキシブル基板（図示せず）の通路となっている。
【００１０】
また、板金部品１３０は、下向きの箱形状を有している。この点については、図７を参照しながら説明する。
【００１１】
図７は、図６に示す、矢印Ｘ１−Ｘ１およびＸ２−Ｘ２に沿う断面図である。尚、図６では図示の都合上、矢印Ｘ１−Ｘ１，およびＸ２−Ｘ２ではシャーシ１２０の断面位置を示しているが、図７では表示基板１１０および板金部品１３０を含めて、その矢印Ｘ１−Ｘ１，Ｘ２−Ｘ２に対応する部分の断面構造を示している。
【００１２】
図７（Ａ）は、図６に示す矢印Ｘ１−Ｘ１に沿う断面図、図７（Ｂ）は、図６に示す矢印Ｘ２−Ｘ２に沿う断面図である。
【００１３】
シャーシ１２０の枠板１２２は、回路基板３００に対し支持基板１２１を所定高さに支持した状態に、その回路基板３００上に載置される。また、板金部品１３０は、図７（Ａ），（Ｂ）に示すように下向きの箱形状を有し、シャーシ１２０の、枠板１２２と支持基板１２１の裏面とで画定された部分に嵌め込まれて、枠板１２２とともに回路基板３００上に載置される。この板金部品１３０は、不図示の構造により回路基板３００上の、電気的なグランドと接続される。回路基板３００の、支持基板１２１の中央に対向する部分にはＩＣチップ等の回路部品３１０が搭載されており、その囲りを、グランドに接続された板金部品１３０で取り囲んでシールド効果をもたせることにより、回路部品３１０からの放射ノイズ等の外部への洩れを防止している。
【００１４】
また図７（Ｂ）には、図６を参照して説明した、開口１２３が示されている。上述したとおり、この開口１２３の存在により、表示基板１１０に外力が加わって支持基板１２１が撓んだときであっても表示基板１１０の角部と支持基板１２１との間の干渉がなく、表示基板１１０のガラス割れの発生が防止される。
【特許文献１】特開２０００−３０７２５８号公報
【特許文献２】特開２００５−１９８５０号公報
【発明の開示】
【発明が解決しようとする課題】
【００１５】
従来は、一例として図６，図７に示す構造の表示モジュール１００が採用されているが、携帯端末装置に要求される軽量化や部品点数削減等を更に推進することが望まれている。
【００１６】
本発明は、上記事情に鑑み、更なる軽量化および部品点数削減が図られた表示モジュール、およびそのような表示モジュールが搭載された携帯端末装置を提供することを目的とする。
【課題を解決するための手段】
【００１７】
上記目的を達成する本発明の表示モジュールは、
画像を表示する表示素子が搭載された表示基板と、
その表示基板を搭載して回路基板上に載置されるシャーシとを備え、
上記シャーシが、
表示基板の角部を除く部分を支持する支持部、およびその支持部から連続して広がりその表示基板を支持する側の表面が支持部よりも一段下がって形成された窪み部を有する支持基板と、
支持基板を回路基板に対し所定高さに支持した状態にその回路基板上に載置される枠板とを有することを特徴とする。
【００１８】
本発明の表示モジュールは、支持基板が、支持部のほか、表示基板の角部に対応する部分に窪み部を有するため、図６，図７（Ｂ）に示すような開口１２３を設けなくても、外力により撓んだ場合の表示基板の角部と支持基板との干渉が回避される。また、本発明を構成するシャーシが回路基板上に載置されたとき、図６，図７に示す板金部品１３０がなくても、その回路基板とシャーシとの間に閉空間が形成される。したがって、例えばそのシャーシを導電性材料で形成すること等により、その閉空間内部の回路基板上に搭載された回路部品からの放射ノイズ等の洩れも防止される。
【００１９】
ここで、本発明の表示モジュールにおいて、上記支持基板の、回路基板上に載置されたときにその回路基板に面する裏面に導体膜が形成されてなることが好ましい。
【００２０】
この導体膜を形成する構造を採用すると、シャーシ自体は非導電性の樹脂等であってもシールド性を保つことができる。
【００２１】
また、本発明の表示モジュールにおいて、上記窪み部が、支持基板裏面側に一段突出して形成されていることが好ましい。
【００２２】
このように、支持基板表面が窪むとともに支持基板裏面に突出した窪み部とすることにより、支持基板全域を均一な肉厚とすることができ、樹脂成形の際の良好な成形性が保たれる。
【００２３】
さらに、本発明の表示モジュールにおいて、上記支持基板表面の、上記支持部と上記窪み部との繋ぎの部分が、面取りされた形状を有することが好ましい。
【００２４】
ここで、この面取り形状は、平面的な斜面であってもよく、丸みを帯びたわん曲した斜面であってもよい。
【００２５】
このような面取り形状を設けることにより、表示基板に外力が加わったときに、その力が支持部と窪み部との境界に集中するのを避けることができ、外力が加えられたときの破損防止に関し信頼性がさらに向上する。
【００２６】
さらに、本発明の表示モジュールにおいて、上記支持基板が、支持部裏面から突出した、その支持部が押圧されたときに回路基板上の搭載部品に当接して支持部の過剰な変形を防止するリブを有することが好ましい。
【００２７】
外力が加えられると支持部が撓んでその外力が吸収されるが、過剰な変形は好ましくなく、回路基板上の搭載部品の高さと関連した適切な高さのリブを設けることにより、過剰な変形を防止することができる。
【００２８】
また、上記目的を達成する本発明の携帯端末装置は、無線通信機能を有する携帯端末装置において、
画像を表示する表示素子が搭載された表示基板と、その表示基板を搭載して回路基板上に載置されるシャーシとを有する表示モジュールを備え、
上記シャーシが、
表示基板の角部を除く部分を支持する支持部、およびその支持部から連続して広がりその表示基板を支持する側の表面が支持部よりも一段下がって形成された窪み部を有する支持基板と、
支持基板を回路基板に対し所定高さに支持した状態に回路基板上に載置される枠板とを有することを特徴とする。
【００２９】
ここで、上記本発明の携帯端末装置においても、支持基板の、回路基板上に載置されたときに回路基板に面する裏面に、導体膜が形成されてなることが好ましい。
【００３０】
本発明の表示モジュールは、持ち歩かれて外力が加わることがある携帯端末装置に搭載するのに好適である。
【発明の効果】
【００３１】
以上説明したように、本発明によれば、従来よりも更なる軽量化や部品点数の削減が図られる。
【発明を実施するための最良の形態】
【００３２】
以下、本発明の実施形態について説明する。
【００３３】
図１は、本発明の一実施形態の携帯端末装置の内面側を示す外観斜視図、図２は、図１に示す携帯端末装置と同一の携帯端末装置の背面側を示す外観斜視図である。
【００３４】
この携帯端末装置１０は、互いに開閉する上部筐体２０と下部筐体３０とで構成されており、上部筐体２０の内面側には、図１に示すように、画像を表示するための、透明なアクリル板等の窓材で覆われた大面積のメイン画面表示窓２１や、内部に小型のスピーカが配備され耳に宛がわれて音声を出力する送話口２２が配備され、また、上部筐体２０の背面側には、図２に示すように、時刻やその他の画像を表示するための、小面積のサブ画面表示窓２３が配備されている。このサブ画面表示窓２３も透明なアクリル板等の窓材で覆われている。
【００３５】
また、下部筐体３０には、図１に示すように、その内面側に、多数の操作ボタン３１、内部に小型のマイクロホンが配備され、ユーザの声をそのマイクロホンに伝える受話口３２、および内部に、耳から離していても聞き取れるだけの音量の音声を出力するスピーカが配備された発音口３３が備えられており、また、下部筐体３０の背面側には、図２に示すように、アンテナ３４や内部の電池室に装填された電池を覆う電池蓋３５が備えられている。また、下部筐体３０の側面にも操作ボタン３６が配置されている。
【００３６】
この図１，図２に示す携帯端末装置１０は、電話の送受話や電子メールの送受信等の機能を有する。
【００３７】
図３は、図２に示すサブ画面表示窓２３の内部に配備された表示モジュールの分解斜視図である。
【００３８】
ここでは、表示モジュール２００は、図２に示すサブ画面表示窓２３と比べ拡大して図示されている。
【００３９】
この表示モジュール２００は、画像を表示するＥＬ表示素子が搭載されたガラス材からなる表示基板２１０と、ＡＢＳ等の樹脂材料からなるシャーシ２２０とから形成されている。
【００４０】
このシャーシ２２０は、支持基板２２１と、その支持基板２２１を取り巻いて支持基板２２１を支持する枠板２２２とから構成されている。また、この支持基板２２１は、表示基板２１０の角部を除く部分を支持する支持部２２１ａと、その支持部２２１ａから連続して広がり表示基板２１０を支持する側の表面が支持部２２１ａよりも一段下がって形成された窪み部２２１ｂとから形成されている。
【００４１】
図４は、図３に示す矢印Ｙ１−Ｙ１および矢印Ｙ２−Ｙ２に沿う断面図である。尚、図３では、図示の都合上、矢印Ｙ１−Ｙ１および矢印Ｙ２−Ｙ２はシャーシ２２０の断面位置を示しているが、図４では、その断面位置に対応する位置で断面した表示基板２１０も示されている。また、図４（Ａ）は、図３に示す矢印Ｙ１−Ｙ１に沿う断面図、図４（Ｂ）は、図３に示す矢印Ｙ２−Ｙ２に沿う断面図である。
【００４２】
図４（Ｂ）に示すように、支持部材２２１には、支持部２２１ａと窪み部２２１ｂが形成されており、支持部２２１ａは、表示基板２１０の角部を除く部分を支持し、表示基板２１０に外力が加わったときに撓んでその外力を吸収する構造となっている。また、窪み部２２１ｂは、支持部２２１ａよりも一段下がって形成されており、したがってこの支持基板２１０は表示基板２１０の角部とは非接触となっており、支持部２２０ａが撓んでも表示基板２１０の角部と支持部材２２０との干渉が回避され、表示基板２１０の割れ等の不良の発生が防止される。
【００４３】
また、支持部２２１ａと窪み部２２１ｂとの繋ぎの部分には斜面２２１ｃが形成されている。このため表示基板２１０に外力が加わったときに、その外力の、支持部２２１ａの端縁への集中が回避され、この点からも一層の信頼性をもって、表示基板２１０の割れ等が防止される。
【００４４】
尚、ここに示す実施形態では、斜面２２１ｃは平面の斜面（Ｃ面）であるが、平面の斜面に代えて丸みのあるわん曲した斜面（Ｒ面）であってもよい。
【００４５】
また、このシャーシ２２０の枠板２２２は、回路基板３００上に載置されるが、回路基板３００上に載置されると、回路基板３００と枠板２２２と支持基板２２１の裏面との間に閉空間が形成される。図４（Ａ）に示すように、この閉空間内の回路基板３００上にはノイズ発生源ともなるＩＣ等の回路部品３１０が搭載されている。
【００４６】
また、枠板２２２には、図３に示すように、表示基板２１０から延びる図示しないフレキシブル基板の通り道となる切欠き部２２４が形成されている。
【００４７】
図５は、図３に示すシャーシ２２０の背面側を示す斜視図である。
【００４８】
窪み部２２１ｂは、背面側では、支持部２２１ａよりも一段突出して形成されており、このため、図４（Ｂ）に示すように、窪み部２２１ｂも支持部２２１ａと同じ肉厚に形成され、成形時の高い成形性が保たれている。
【００４９】
また、図５に示すように、支持部２２１ａの裏面には、突出したリブ２２１ｄが形成されており、そのリブ２２１ｄに取り囲まれた位置に、成形時に樹脂を流し込む湯口の跡である湯溜り２２１ｅが形成されている。湯溜り２２１ｅをリブ２２１ｄに取り囲まれた位置に形成したことにより、この湯溜り２２１ｅはゲート２２１ｄの高さよりも低ければよく、湯溜り２２１ｅが支持部２２１ａの裏面から突出していることによる問題は生じない。
【００５０】
また、リブ２２１ｄは、図４（Ａ）に示すように、回路基板３００上に搭載された回路部品３１０の真上に位置し、表示基板２１０に強い外力が加わって支持部２２１ａが所定の撓み量まで撓んだときに回路部品３１０に当接する構造となっており、これにより支持部２２１ａの過度な撓みが防止される。
【００５１】
また、図５に斜線を付して示した、シャーシ２２０の裏面全域には、蒸着あるいはメッキ等による金属膜が形成されており、このシャーシ２２０が回路基板３００に搭載されるとその金属膜が回路基板上の電気的なグランドと接続される構造となっている。このため、この金属膜がシールドの役割りを担い、回路部品３１０からの放射ノイズ等の外部への洩れが防止される。
【００５２】
尚、ここに示す例は、金属膜にシールド効果を担わせた例であるが、シャーシ自体を導電性材料で形成することによりシールド効果を持たせてもよい。
【００５３】
また、ここでは図１，図２に示す携帯端末装置１０に搭載された表示モジュール２００について説明したが、本発明は、携帯端末装置１０に搭載されるか否かにかかわらず表示モジュール自体でも成り立つ発明である。
【００５４】
以下、本発明の各種態様を付記する。
【００５５】
（付記１）
画像を表示する表示素子が搭載された表示基板と、
前記表示基板を搭載して回路基板上に載置されるシャーシとを備え、
前記シャーシが、
前記表示基板の角部を除く部分を支持する支持部、および該支持部から連続して広がり該表示基板を支持する側の表面が該支持部よりも下がって形成された窪み部を有する支持基板と、
前記支持基板を回路基板に対し所定高さに支持した状態に該回路基板上に載置される枠板とを有することを特徴とする表示モジュール。
【００５６】
（付記２）
前記支持基板の、回路基板上に載置されたときに該回路基板に面する裏面に導体膜が形成されてなることを特徴とする付記１記載の表示モジュール。
【００５７】
（付記３）
前記窪み部が、前記支持基板裏面側に突出して形成されていることを特徴とする付記１記載の表示モジュール。
【００５８】
（付記４）
前記支持基板表面の、前記支持部と前記窪み部との繋ぎの部分が、面取りされた形状を有することを特徴とする付記１記載の表示モジュール。
【００５９】
（付記５）
前記支持基板が、前記支持部裏面に突出した、該支持部が押圧されたときに回路基板上の搭載部品に当接して該支持部の過剰な変形を防止するリブを有することを特徴とする付記１記載の表示モジュール。
【００６０】
（付記６）
無線通信機能を有する携帯端末装置において、
画像を表示する表示素子が搭載された表示基板と、前記表示基板を搭載して回路基板上に載置されるシャーシとを有する表示モジュールを備え、
前記シャーシが、
前記表示基板の角部を除く部分を支持する支持部、および該支持部から連続して広がり該表示基板を支持する側の表面が該支持部よりも下がって形成された窪み部を有する支持基板と、
前記支持基板を回路基板に対し所定高さに支持した状態に該回路基板上に載置される枠板とを有することを特徴とする携帯端末装置。
【００６１】
（付記７）
前記支持基板の、回路基板上に載置されたときに該回路基板に面する裏面に導体膜が形成されてなることを特徴とする付記６記載の携帯端末装置。
【図面の簡単な説明】
【００６２】
【図１】本発明の一実施形態の携帯端末装置の内面側を示す外観斜視図である。
【図２】図１に示す携帯端末装置と同一の携帯端末の背面側を示す外観斜視図である。
【図３】図２に示すサブ画面表示窓の内部に配備された表示モジュールの分解斜視図である。
【図４】図３に示す矢印のＹ１−Ｙ１および矢印Ｙ２−Ｙ２に沿う断面図である。
【図５】図３に示すシャーシの背面側を示す斜視図である。
【図６】従来の表示モジュールの構造を示した分解斜視図である。
【図７】図６に示す、矢印Ｘ１−Ｘ１およびＸ２−Ｘ２に沿う断面図である。
【符号の説明】
【００６３】
１０    携帯端末装置
２３    サブ画面表示窓
２００    回路基板
２１０    回路部品
２２０    シャーシ
２２１ａ    支持部
２２１ｂ    窪み部
２２１ｃ    斜面
２２１ｄ    リブ
２２１ｅ    湯溜り
２２２    枠板
２２４    切欠き部
３００    回路基板
３１０    回路部品
【図１】
2006303687.tif 000003
【図２】
2006303687.tif 000004
【図３】
2006303687.tif 000005
【図４】
2006303687.tif 000006
【図５】
2006303687.tif 000007
【図６】
2006303687.tif 000008
【図７】
2006303687.tif 000009